(57)【要約】【課題】噴射ノズルを内部に備えた吸引ノズルにおいて、先端部の形状を変更することができると共に、先端部の形状を変更した場合でも十分な洗浄効果が得られる湿式電気掃除機用吸引ノズルを提供すること。【解決手段】吸引ホースに連結され、被洗浄物に噴射ノズル５１から洗浄液を噴射し且つ該被洗浄物の汚れを水分と空気と共に吸引する湿式電気掃除機用の吸引ノズルであって、前記吸引ホース側の後方部１１Ｂと先端部１１Ｃ側の前方部１１Ａとに分割され、該前方部１１Ａの後端嵌合部６４の内側に該後方部１１Ｂの前端嵌合部７２が嵌合されるようになっており、前記後方部１１Ｂの内部には、前記噴射ノズル５１が配置されており、前記後方部１１Ｂの前記前端嵌合部７２に、洗浄液流通用の流通切欠部７４が設けられている。【選択図】図３
2006136489.tif 000002
【特許請求の範囲】
【請求項１】
吸引ホースに連結され、被洗浄物に噴射ノズルから洗浄液を噴射し且つ該被洗浄物の汚れを水分と空気と共に吸引する湿式電気掃除機用の吸引ノズルであって、
前記吸引ホース側の後方部と先端部側の前方部とに分割され、該前方部の後端嵌合部の内側に該後方部の前端嵌合部が嵌合されるようになっており、
前記後方部の内部には、前記噴射ノズルが配置されており、
前記後方部の前記前端嵌合部に、洗浄液流通用の流通切欠部が設けられている湿式電気掃除機用吸引ノズル。
【請求項２】
前記前方部は、前記後端嵌合部と連通する幅広形状の前方本体及び該後端嵌合部から該前方本体に向けて拡がる一対の中空拡開部を備え、洗浄液流通用の前記流通切欠部は、前記後方部の前記前端嵌合部における両側部に一対設けられており、
前記一対の中空拡開部は、前記前方部と前記後方部との嵌合状態下において、該後方部の前記流通切欠部に対応する位置にそれぞれ配置するように設けられている請求項１記載の湿式電気掃除機用吸引ノズル。
【請求項３】
前記後方部の内部には、該後方部の前端部と前記噴射ノズルの噴射口との間に遮蔽板が設けられており、
前記後方部の前記前端嵌合部の上部には、前記遮蔽板に連結したピストン及び該ピストンをガイドするガイド凸状体が設けられており、
前記前方部の前記後端嵌合部の上部には、ピストン切欠部が設けられており、該ピストン切欠部には、該前方部と前記後方部との嵌合状態下において、該後方部の前記ガイド凸状体が嵌るようになっている請求項１又は２に記載の湿式電気掃除機用吸引ノズル。
【発明の詳細な説明】
【技術分野】
【０００１】
本発明は、被洗浄物の汚れを水分と空気と共に吸引する湿式電気掃除機用の吸引ノズルに関する。
【背景技術】
【０００２】
従来より、主に業務用として、吸引ノズル内部の噴射ノズルから被洗浄物に洗浄液を噴射しながら、被洗浄物の汚れを水分と空気と共に吸引する湿式電気掃除機が使用されている。
このような湿式電気掃除機には、下記特許文献１のように、吸引ノズルの先端部と噴射ノズルの噴射口との間に該噴射ノズルから噴射される洗浄液を遮蔽する遮蔽板が設けられることもある。かかる湿式電気掃除機では、吸引ノズルを被洗浄物から離しているときに、噴射ノズルから噴射される洗浄液を遮蔽板により遮蔽して、洗浄液が吸引ノズルから飛散しないようにすることができる。
【０００３】
【特許文献１】特開２００１−２９９９０３号公報
【発明の開示】
【発明が解決しようとする課題】
【０００４】
ところで、湿式電気掃除機においては、被洗浄物の大きさや形状等によって、先端部が幅広形状の吸引ノズル、先端部が略筒形状の吸引ノズル等を使い分けることが望まれているが、前記特許文献１には、そのような観点で吸引ノズルの構造を工夫すること及び何れの形状の吸引ノズルでも十分な洗浄効果を奏させることについては言及されていない。
【０００５】
従って、本発明の目的は、噴射ノズルを内部に備えた吸引ノズルにおいて、先端部の形状を変更することができると共に、先端部の形状を変更した場合でも十分な洗浄効果が得られる湿式電気掃除機用吸引ノズルを提供することにある。
【課題を解決するための手段】
【０００６】
本発明は、吸引ホースに連結され、被洗浄物に噴射ノズルから洗浄液を噴射し且つ該被洗浄物の汚れを水分と空気と共に吸引する湿式電気掃除機用の吸引ノズルであって、前記吸引ホース側の後方部と先端部側の前方部とに分割され、該前方部の後端嵌合部の内側に該後方部の前端嵌合部が嵌合されるようになっており、前記後方部の内部には、前記噴射ノズルが配置されており、前記後方部の前記前端嵌合部に、洗浄液流通用の流通切欠部が設けられている湿式電気掃除機用吸引ノズルを提供することにより、上記目的を達成したものである。
【発明の効果】
【０００７】
本発明の湿式電気掃除機用吸引ノズルによれば、噴射ノズルを内部に備えた吸引ノズルにおいて、先端部の形状を変更することができると共に、先端部の形状を変更した場合でも十分な洗浄効果が得られる。
【発明を実施するための最良の形態】
【０００８】
以下、本発明の湿式電気掃除機用吸引ノズル（以下単に「吸引ノズル」という）を、その好ましい一実施形態について、図面を参照しながら説明する。
本実施形態の吸引ノズル１１は、図１及び図２に示すように、被洗浄物に噴射ノズル５１から洗浄液Ｗを噴射し、該被洗浄物の汚れを水分と空気と共に吸引する湿式電気掃除機用の吸引ノズルである。そして、吸引ノズル１１は、該吸引ノズル１１と、該吸引ノズル１１から吸引される汚れ、水分及び空気の混合流Ａを導通する吸引ホース１２と、該混合流Ａから空気Ｃを吸引して排気する出力１．５ｋＷ以下の電動ファン１５と、該吸引ホース１２からの該混合流Ａから分離される汚れと水分（汚水Ｂ）を貯溜する汚水タンク１４とを備え、床等の建物構造部の清掃に用いられる湿式電気掃除機における吸引ノズルとして使用される。
【０００９】
本実施形態の吸引ノズル１１について更に詳述すると、吸引ノズル１１は、図３に示すように、先端部１１Ｃに向けて末広がり形状を有する中空体である。先端部１１Ｃは開口し、被洗浄物との当接面となっている。その後端部も開口し、吸引ホース１２との連結部（ホース連結部７９）となっている。
吸引ノズル１１は、図１〜図５に示すように、先端部１１Ｃ側の前方部１１Ａと吸引ホース１２側の後方部１１Ｂとに分割され、前方部１１Ａにおける筒状の後端嵌合部６４の内側に後方部１１Ｂにおける筒状の前端嵌合部７２を嵌合させて、前方部１１Ａと後方部１１Ｂとが連結されるようになっている。
【００１０】
先ず、前方部１１Ａについて詳述する。
前方部１１Ａは、吸引ノズル１１における先端部１１Ｃ側の部位で、図４に示すように、後端嵌合部６４と連通する幅広形状の前方本体６３及び後端嵌合部６４から前方本体６３に向けて拡がる一対の中空拡開部６６を備え、その全体形状が後端嵌合部６４から先端部６１に向けて拡がる形状を有している。
【００１１】
前方部１１Ａの先端部６１には、図３及び図４に示すように、全周に亘って軟質部材６２が設けられている。軟質部材６２は、清掃時に先端部６１と被洗浄物との間の隙間防止（これにより吸引効果の向上や洗浄液の飛散防止が図られる）や被洗浄物の損傷防止の役割を果たす部材で、軟質な材であれば、その材質に特に制限はない。本実施形態においては、ゴムシートを用いている。
【００１２】
軟質部材６２には、図３及び図４に示すように、通気機構として、先端部６１から後端嵌合部６４に向けて延びる通気用スリット６２Ａが設けられている。通気用スリット６２Ａは、清掃時に先端部６１と被洗浄物とが密着しても、通気用スリット６２Ａを介して通気を確保し、吸引ノズル１１から通気しないことに起因する電動ファン１５への過負荷を防止するためのものである。
【００１３】
軟質部材６２の内側には、図３及び図４に示すように、その内周面に沿って、ブラシ６７が所定間隔をあけて複数束設けられている。ブラシ６７は、複数本の毛から１束が形成されたもので、被洗浄物から汚れを掻き出して除去するためのものである。
【００１４】
前方本体６３は、図３及び図４に示すように、幅広な略矩形断面を有する筒状の部位であり、その先端部６１側には、軟質部材６２が設けられており、後方部１１Ｂ側には、後端嵌合部６４及び中空拡開部６６が設けられている。
【００１５】
後端嵌合部６４は、図３及び図４に示すように、前方本体６３の後方部１１Ｂ側に設けられた円形断面を有する筒状の部位で、その内側に、後方部１１Ｂの前端嵌合部７２が嵌合されるようになっている。
【００１６】
後端嵌合部６４の両側部には、図３及び図４に示すように、一対の中空拡開部６６，６６が設けられている。中空拡開部６６は、略半円弧状の中空断面を有しており、後端嵌合部６４の両側部及び前方本体６３に接続する部位ではそれらに連通している。一対の中空拡開部６６は、前方部１１Ａと後方部１１Ｂとの嵌合状態下において、後方部１１Ｂの一対の流通切欠部７４（後述）に対応する位置にそれぞれ配置するように設けられている。
【００１７】
前方部１１Ａの後端嵌合部６４の上部には、図３及び図４に示すように、ピストン切欠部６５が設けられている。ピストン切欠部６５は、平面視で、後方部１１Ｂから先端部６１に向けて凹の略半円形を有している。ピストン切欠部６５には、図３に示すように、前方部１１Ａと後方部１１Ｂとの嵌合状態下において、後方部１１Ｂの円筒状のガイド凸状体７５（後述）が嵌るようになっている。
【００１８】
次に、後方部１１Ｂについて詳述する。
後方部１１Ｂは、図１及び図３に示すように、吸引ノズル１１における吸引ホース１２に連結される部位である。後方部１１Ｂは、図５に示すように、側面視で屈曲した後方本体７３を主体として構成されている。後方部１１Ｂの内部には、図３及び図５〜図７に示すように、噴射ノズル５１が配置され、更に、後方部１１Ｂの先端部７１（前方部１１Ａ側の端部）と噴射ノズル５１の噴射口５１Ａとの間に遮蔽板５３が設けられている。
遮蔽板５３及び噴射ノズル５１の噴射口５１Ａは、図３、図５及び図７に示すように、近接して、後方部１１Ｂの前端部７１から後退した位置に配置している。
【００１９】
噴射ノズル５１は、図１及び図３に示すように、屈曲管路５４及びチューブ連結部５５を介して、送液チューブ５２に連結されており、送液チューブ５２から送給される洗浄液を噴射口５１Ａから被洗浄物に向けて噴射できるようになっている。
噴射ノズル５１は、噴射口５１Ａを交換することにより、放射状に噴射（噴霧）したり、洗浄液を勢いよく直線状に噴射することができる。通常、放射状に噴射する噴射口が用いられるが、前方部１１Ａが前述の幅広形状の場合には、放射状に噴射する噴射口が特に好ましい。その放射角度は、例えば９０°〜１５０°、好ましくは１１０°〜１３０°である。
前方部１１Ａが後述の略筒形状の場合には、直線状に噴射する噴射口も好ましく用いられる。
【００２０】
遮蔽板５３は、図３、図６及び図７に示すように、側面視でクランク形状の部材であり、噴射ノズル５１と対向する下部の板状部分の中央部には、導通部５３Ａが設けられている。遮蔽板５３の他方の端部は、棒状部分５３Ｂで、後方部１１Ｂの上壁面に設けられた軸部貫通穴７７を貫通している。棒状部分５３Ｂの周囲にはコイルばね７８が設けられている。遮蔽板５３は、電動ファン１５の作動中に吸引ノズル１１を被洗浄物に接触させ、吸引ノズル１１内が負圧状態になっている間だけ、所定の位置に移動するもので、その間においては、後述するように、噴射ノズル５１から噴射されている洗浄液Ｗが被洗浄物に達することができる。また、遮蔽板５３は、吸引ノズル１１が被洗浄物と離れている状態では、後述するようにコイルばね７８の作用により、噴射ノズル５１から噴射されている洗浄液Ｗを遮蔽するものである。
【００２１】
後方部１１Ｂの前端嵌合部７２の上部には、遮蔽板５３に連結したピストン７６及び該ピストン７６をガイドするガイド凸状体７５が設けられている。
ピストン７６は、遮蔽板５３の棒状部分５３Ｂの頭部に連結され、ピストンガイドの役目を果たすガイド凸状体７５内に収容されている。ピストン７６は、引っ掛かり等により遮蔽板５３が負圧で下方に移動しない場合に、該ピストン７６を押して遮蔽板５３を強制的に下方に移動させるためのものである。
【００２２】
後方部１１Ｂの前端嵌合部７２における両側部には、図３及び図５〜図７に示すように、洗浄液流通用の一対の流通切欠部７４が設けられている。一対の流通切欠部７４は、側面視で、ホース連結部７９に向けて凹の略半円形である。尚、一対の流通切欠部７４を設けてあるのは、一対の中空拡開部６６に対応するためであり、中空拡開部６６が片方のみの場合は、流通切欠部７４も片方のみに形成されてもよい。洗浄効果を考慮すると、通常は、中空拡開部６６は一対とするのが好ましいので、それに応じて、流通切欠部７４も一対とするのが好ましい。
【００２３】
後方部１１Ｂのホース連結部７９は、図１及び図３に示すように、吸引ホース１２の端部と嵌合する部位である。
後方部１１Ｂの下方には、図５〜図７に示すように、送液チューブ５２との連結部であるチューブ連結部５５が配されている。また、チューブ連結部５５と噴射ノズル５１とを連通する屈曲管路５４が、後方部１１Ｂの外周下部を貫通して設けられている。
【００２４】
前方部１１Ａと後方部１１Ｂとは、図３に示すように、後端嵌合部６４への前端嵌合部７２の嵌合により連結され、吸引ノズル１１を構成する。
また、前方部１１Ａと後方部１１Ｂとを連結させると、図３に示すように、後方部１１Ｂにおけるピストン７６をガイドするガイド凸状体７５が、前方部１１Ａの後端嵌合部６４の上部に形成されたピストン切欠部６５に嵌ると共に、前方部１１Ａにおける一対の中空拡開部６６の中空部分が、後方部１１Ｂの前端嵌合部７２の両側部に形成された一対の流通切欠部７４に対応してそれぞれ配置される。
【００２５】
噴射ノズル５１と遮蔽板５３との位置関係について説明する。
電動ファン１５が作動していないときは、図６（ａ）及び図７（ａ）に示されるように、遮蔽板５３の下部の板状部分は、コイルばね７８の作用により、噴射口５１Ａと対向する位置にある。
電動ファン１５が作動し、吸引ノズル１１を被洗浄物に接触させたときは、吸引ノズル１１内が負圧状態になるため、遮蔽板５３は下方に引っ張られ、図６（ｂ）及び図７（ｂ）に示すように、噴射ノズル５１の噴射口５１Ａと遮蔽板５３の導通部５３Ａとが重なった状態になる。そのため、噴射口５１Ａから噴射される洗浄液Ｗは、導通部５３Ａを通して被洗浄物に達する。
【００２６】
一方、電動ファン１５の作動スイッチを切ったり、電動ファン１５が作動している状態であっても吸引ノズル１１を被洗浄面から離すと、吸引ノズル１１内の負圧が解除されて常圧になるので、コイルばね７８の付勢力によって遮蔽板５３は上方に引っ張られて、再び、図６（ａ）及び図７（ａ）に示されるように遮蔽板５３の下部の板状部分が噴射口５１Ａと対向する位置に戻る。従って、洗浄液Ｗが噴霧されている状態であっても、吸引ノズル１１を被洗浄面に接触させなければ、洗浄液Ｗが吸引ノズル１１から外部に飛散することはない。
【００２７】
次に、本実施形態の吸引ノズル１１を備えた湿式電気掃除機１の一形態について詳述する。
前記吸引ホース１２は、図１及び図２に示すように、吸引ノズル１１と前記汚水タンク１４とを連通するホースであり、吸引ノズル１１から吸引される汚れ、水分及び空気の混合流Ａを導通するものである。
【００２８】
吸引ホース１２の一端部１２Ａは、図１〜図３に示すように、後方部１１Ｂのホース連結部７９と嵌合されて、吸引ノズル１１の内部と連通しており、その他端部１２Ｂは、前記汚水タンク１４の側面上部の導入口１４Ａに嵌合している。
吸引ホース１２としては、従来より湿式電気掃除機用として用いられている吸引ホースを特に制限なく使用することができ、例えば、蛇腹状のホース、外側が蛇腹状で内側が平滑管状のホース、平滑管状のホース等が挙げられる。本形態の湿式電気掃除機１においては、ホースの曲がり易さを確保しつつ、ホース内面の汚水の付着を防止する観点から、外側が蛇腹状で内側が平滑管状のホースを用いている。
【００２９】
前記汚水タンク１４は、混合流Ａから分離された汚れ及び水分（汚水Ｂ）を貯溜するタンクであり、本形態の湿式電気掃除機１においては、略円筒形である。汚水タンク１４の上部には、混合流Ａから汚水Ｂをほぼ分離した空気Ｃ’を排出する排出部１４Ｂが設けられている。
【００３０】
汚水タンク１４の排出部１４Ｂと電動ファン１５の吸引部１５Ａとの間には、混合流Ａから汚水Ｂをほぼ分離した空気Ｃ´から更に汚れ及び水分を分離するフィルタ１６が設けられ
ている。
【００３１】
前記電動ファン１５は、混合流Ａから汚水Ｂをほぼ分離した空気Ｃ’を吸引し、排気部１５Ｂから空気Ｃを排出するもので、出力１．５ｋＷ以下の電動ファンが家庭用の湿式電気掃除機には適しているが、被洗浄物等の条件に応じて、１．２ｋＷ以下や１．０ｋＷ以下の電動ファンも用いることができる。
【００３２】
ところで、本実施形態の吸引ノズル１１においては、先端部１１Ｃ側の前方部１１Ａと吸引ホース１２側の後方部１１Ｂとに分割され、前方部１１Ａにおける筒状の後端嵌合部６４の内側に後方部１１Ｂにおける筒状の前端嵌合部７２を嵌合させて前方部１１Ａと後方部１１Ｂとが連結されるようになっているため、前方部１１Ａを形状の異なるものに交換することにより、先端部１１Ｃの形状を変更することができる。
【００３３】
前方部１１Ａは、図４に示すような幅広形状のものに制限されず、例えば、図８に示すような略筒形状のものでもよい。
図８に示す略筒形状の前方部１１Ａ’は、前方本体６３が円形断面となっている。そして、前方本体６３の形状に対応して、軟質部材６２及びブラシ６７も円形に配置されており、幅広形状の前方部１１Ａにおける中空拡開部６６が設けられていない。その他の構造、形状等は、幅広形状の前方部１１Ａと同様であり、対応する部位には同じ符号を付してある。
【００３４】
本実施形態の吸引ノズル１１においては、後方部１１Ｂに、図８に示すような略筒形状の前方部１１Ａ’を組み合わせて使用することができる。このような態様では、図４に示すような幅広形状の前方部１１Ａでは届かないような狭い空間を洗浄するときや、狭い範囲を集中的に洗浄する場合等に好ましく用いられる。
【００３５】
本実施形態の吸引ノズル１１によれば、比較的複雑な機構である噴射ノズル５１及び遮蔽板５３やピストン７６が、交換されない部位である後方部１１Ｂに設けられており、交換される部位である前方部１１Ａに設ける必要がないため、先端部形状の異なる前方部１１Ａを数種類使い分ける場合に、コスト面で有利である。
【００３６】
更に、噴射ノズル５１の噴射口５１Ａを吸引ノズル１１の先端部１１Ｃから遠い位置に設けると、洗浄液を放射状に広い範囲に噴射することができるが、洗浄液が被洗浄物に到達する前に吸引されてしまう。而して、本実施形態の吸引ノズル１１によれば、後方部１１Ｂの前端嵌合部７２における両側部に、洗浄液流通用の一対の流通切欠部７４が設けられているため、噴射ノズル５１の噴射口５１Ａを吸引ノズル１１の先端部１１Ｃに近接させて設けても、噴射ノズル５１から噴射された洗浄液Ｗは、一対の流通切欠部７４を介して幅方向に拡散する。従って、後端嵌合部６４から先端部６１に向けて拡がる一対の中空拡開部６６を備えた前方部１１Ａと組み合わせて使用した場合には、洗浄液は、流通切欠部７４及び中空拡開部６６を介して、前方部１１Ａの先端部６１から幅方向に拡がった状態で被洗浄物に到達する。そのため、被洗浄物を広い幅（面積）に亘って効果的に洗浄することができ、作業効率に優れている。
【００３７】
また、図８に示すような略筒形状の前方部１１Ａ’には、洗浄力のみを考慮すれば、洗浄液を直線状に噴射する噴射口５１Ａを用いることが好ましいが、前方部を交換するたびに噴射口５１Ａも交換するのは煩雑であり、噴射口５１Ａを交換せずに対応することが望まれる。而して、本実施形態の吸引ノズル１１によれば、噴射ノズル５１の噴射口５１Ａを吸引ノズル１１の先端部１１Ｃに近接させて設けることができるため、略筒形状の前方部１１Ａ’と放射状に噴射する噴射口５１Ａとを組み合わせて用いた場合でも、洗浄液Ｗの大部分は被洗浄物に直接到達する。そのため、洗浄力は格別低下せず、十分な洗浄力が得られる。
このように、本実施形態の吸引ノズル１１によれば、幅広形状の前方部１１Ａ又は略筒形状の前方部１１Ａ’の何れを用いた場合にも、十分な洗浄効果が得られる。
【００３８】
本発明の吸引ノズル１１は、前述した実施形態に制限されることなく、本発明の趣旨を逸脱しない限り、以下に示すように適宜変更が可能である。
前述した各実施形態においては、何れも、吸引ノズル１１が前方部１１Ａ及び後方部１１Ｂに２分割されるようになっているが、本発明においては、更に分割されるようになっていてもよい。
吸引ノズル１１における遮蔽板５３の構造及びそれを移動させる機構は、前述の実施形態のものに限定されない。
噴射ノズル５１の数は１個に限定されず、２個以上でもよい。噴射ノズル５１の噴射角度も被洗浄物の形状等に応じて変えてもよい。
【００３９】
通気機構６２Ａは、前記実施形態のように吸引ノズル１１の先端部１１Ｃに設けられていることが好ましいが、噴射ノズル５１の噴射口５１Ａよりも吸引ノズルの先端部１１Ｃ寄りに設けられていれば、所望の効果が得られる。また、通気機構６２Ａは、前記実施形態のようなスリットに制限されず、例えば孔を設けたり、先端部に波形状の部材を用いることにより、実現することもできる。
本発明の吸引ノズル１１は、フローリング等の平滑な被洗浄物の洗浄よりも、カーペットのような細かい凹凸のある被洗浄物の洗浄に適しているが、それ以外にも、畳、フローリング、窓ガラス等の建物構造部の洗浄にも用いることができる。また、建物構造部以外にも、例えば、車のシートの洗浄にも用いることもできる。
【図面の簡単な説明】
【００４０】
【図１】図１は、本発明の一実施形態の吸引ノズルを備えた湿式電気掃除機を、そのハウジングを仮想的に透過して示す斜視図である。
【図２】図２は、図１に示す湿式電気掃除機の全容を、汚れ、水分等の流通経路と共に示す模式図である。
【図３】図３は、本発明の一実施形態の吸引ノズルを示す斜視図で、（ａ）は前方部と後方部とを連結した状態を示す図、（ｂ）は前方部と後方部とを分割した状態を示す図である。
【図４】図４は、本発明の一実施形態の吸引ノズルの前方部を示す図で、（ａ）は斜視図、（ｂ）は平面図、（ｃ）は正面図である。
【図５】図５は、本発明の一実施形態の吸引ノズルの後方部を示す側面図である。
【図６】図６は、本発明の一実施形態の吸引ノズルの後方部を示す正面図で、（ａ）は遮蔽板が上方に位置する状態を示す図、（ｂ）は遮蔽板が下方に位置する状態を示す図である。
【図７】図７（ａ）は図６（ａ）に示すVIIＡ−VIIＡ断面図、図７（ｂ）は図６（ｂ）に示すVIIＢ−VIIＢ断面図である。
【図８】図８は、本発明の吸引ノズルの別の形態の前方部を示す図で、（ａ）は斜視図、（ｂ）は平面図である。
【符号の説明】
【００４１】
１１  吸引ノズル
１１Ａ  前方部
１１Ｂ  後方部
１１Ｃ  先端部
１２  吸引ホース
１４  汚水タンク
１５  電動ファン
１５Ｂ  排気部
１６  フィルタ
５１  噴射ノズル
５１Ａ  噴射口
５２  送液チューブ
５３  遮蔽板
５３Ａ  導通部
５３Ｂ  棒状部分
５４  屈曲管路
５５  チューブ連結部
６１  先端部
６２  軟質部材
６２Ａ  通気機構
６３  前方本体
６４  後端嵌合部
６５  ピストン切欠部
６６  中空拡開部
６７  ブラシ
７１  先端部
７２  前端嵌合部
７３  後方本体
７４  流通切欠部
７５  ガイド凸状体
７６  ピストン
７７  軸部貫通穴
７８  コイルばね
７９  ホース連結部
Ａ  混合流
Ｂ  汚水
Ｃ  空気
Ｃ’  混合流Ａから汚水Ｂをほぼ分離した空気
Ｗ  洗浄液
【図１】
2006136489.tif 000003
【図２】
2006136489.tif 000004
【図３】
2006136489.tif 000005
【図４】
2006136489.tif 000006
【図５】
2006136489.tif 000007
【図６】
2006136489.tif 000008
【図７】
2006136489.tif 000009
【図８】
2006136489.tif 000010